(57)【特許請求の範囲】
【請求項１】
印字データに重畳され、複数の部品フォームから構成されるフォームデータを編集する複合フォーム編集装置であって、
前記フォームデータを構成するページと当該ページを構成する部品フォームとを含むオブジェクト及びそれらの従属関係を記述した複合フォーム設定データを格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段により判断されたドロップ位置に対応して、前記複合フォーム設定データの記述を編集する編集手段とを備え、
前記操作者による操作は、前記画像オブジェクトを移動あるいは複写する操作を含み、
前記編集手段は、操作された画像オブジェクトに対応するオブジェクトの記述を、画像オブジェクトの操作に対応して、前記格納手段に格納された複合フォーム設定データにおいて移動あるいは複写し、
前記複合フォーム設定データは、前記フォームデータを構成する各ページ毎に当該ページを構成する部品フォームの名称が記述され、かつ、各ページ毎に両面印刷であるかを示すページ種別が記述されていることを特徴とする複合フォーム編集装置。
【請求項２】
印字データに重畳され、複数の部品フォームから構成されるフォームデータを編集する複合フォーム編集装置であって、
前記フォームデータを構成するページと当該ページを構成する部品フォームとを含むオブジェクト及びそれらの従属関係を記述した複合フォーム設定データを格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段により判断されたドロップ位置に対応して、前記複合フォーム設定データの記述を編集する編集手段とを備え、
前記操作者による操作により、画像オブジェクトが、ページを示す画像オブジェクト上に移動された場合、移動された画像オブジェクトがページであれば、前記編集手段は、移動された画像オブジェクトに対応するページを、移動された先のページの直前に追加するよう、前記フォームデータを編集することを特徴とする複合フォーム編集装置。
【請求項３】
印字データに重畳され、複数の部品フォームから構成されるフォームデータを編集する複合フォーム編集装置であって、
前記フォームデータを構成するページと当該ページを構成する部品フォームとを含むオブジェクト及びそれらの従属関係を記述した複合フォーム設定データを格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段により判断されたドロップ位置に対応して、前記複合フォーム設定データの記述を編集する編集手段とを備え、
前記フォームデータには更に、２ページのオブジェクトを含む両面が含まれ、前記操作者による操作により画像オブジェクトが、ページを示す画像オブジェクト上に移動された場合、移動された画像オブジェクトがページであり、かつ移動の操作と共に所定の操作が行われていれば、前記編集手段は、移動された画像オブジェクトに対応するページと、移動された先のページとを含む両面オブジェクトを生成するよう、前記フォームデータを編集することを特徴とする複合フォーム編集装置。
【請求項４】
印字データに重畳され、複数の部品フォームから構成されるフォームデータを編集する複合フォーム編集装置であって、
前記フォームデータを構成するページと当該ページを構成する部品フォームとを含むオブジェクト及びそれらの従属関係を記述した複合フォーム設定データを格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段により判断されたドロップ位置に対応して、前記複合フォーム設定データの記述を編集する編集手段とを備え、
前記操作者による操作により、画像オブジェクトが、画像オブジェクト上以外の位置に移動された場合、移動された画像オブジェクトが部品フォームであれば、前記編集手段は、フォームデータの末尾に新たなページを挿入し、該ページに含まれる部品フォームとして、前記移動された画像オブジェクトに対応する部品フォームを挿入するよう、前記フォームデータを編集することを特徴とする複合フォーム編集装置。
【請求項５】
印字データに重畳され、複数の部品フォームから構成されるフォームデータを編集する複合フォーム編集装置であって、
前記フォームデータを構成するページと当該ページを構成する部品フォームとを含むオブジェクト及びそれらの従属関係を記述した複合フォーム設定データを格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段により判断されたドロップ位置に対応して、前記複合フォーム設定データの記述を編集する編集手段とを備え、
前記操作者による操作により、画像オブジェクトが、画像オブジェクト上以外の位置に移動された場合、移動された画像オブジェクトがページであれば、前記編集手段は、前記移動された画像オブジェクトに対応するページを、それに含まれる部品フォームも含めて、フォームデータの末尾に追加するよう、前記フォームデータを編集することを特徴とする複合フォーム編集装置。
【請求項６】
前記操作者による操作により、画像オブジェクトが、部品フォームを示す画像オブジェクト上に移動された場合、移動された画像オブジェクトが部品フォームであれば、前記編集手段は、移動された画像オブジェクトに対応する部品フォームを、移動された先の部品フォームの直前に追加するよう、前記フォームデータを編集することを特徴とする請求項１乃至５のいずれかに記載の複合フォーム編集装置。
【請求項７】
印字データに重畳され、複数の部品フォームから構成されるフォームデータを編集する複合フォーム編集装置における複合フォーム編集方法であって、
前記複合フォーム編集装置の格納手段により、前記フォームデータを構成するページと当該ページを構成する部品フォームとを含むオブジェクト及びそれらの従属関係を記述した複合フォーム設定データを格納する格納工程と、
前記複合フォーム編集装置の表示手段により、前記複合フォーム設定データに従い、オブジェクト及びそれらの従属関係を、オブジェクトに対応する画像オブジェクト間を結ぶツリー画面として表示部に表示する表示工程と、
前記複合フォーム編集装置の判断手段により、前記ツリー画面上において、操作者による操作により画像オブジェクトがドロップ操作された位置を判断する判断工程と、
前記複合フォーム編集装置の編集手段により、前記判断工程で判断されたドロップ位置に対応して、前記複合フォーム設定データの記述を編集する編集工程とを備え、
前記操作者による操作は、前記画像オブジェクトを移動あるいは複写する操作を含み、
前記編集工程では、操作された画像オブジェクトに対応するオブジェクトの記述を、画像オブジェクトの操作に対応して、前記格納手段に格納された複合フォーム設定データにおいて移動あるいは複写し、
前記複合フォーム設定データは、前記フォームデータを構成する各ページ毎に当該ページを構成する部品フォームの名称が記述され、かつ、各ページ毎に両面印刷であるかを示すページ種別が記述されていることを特徴とする複合フォーム編集方法。
【請求項８】
印字データに重畳され、複数の部品フォームから構成されるフォームデータを編集する複合フォーム編集装置における複合フォーム編集方法であって、
前記複合フォーム編集装置の格納手段により、前記フォームデータを構成するページと当該ページを構成する部品フォームとを含むオブジェクト及びそれらの従属関係を記述した複合フォーム設定データを格納する格納工程と、
前記複合フォーム編集装置の表示手段により、前記複合フォーム設定データに従い、オブジェクト及びそれらの従属関係を、オブジェクトに対応する画像オブジェクト間を結ぶツリー画面として表示部に表示する表示工程と、
前記複合フォーム編集装置の判断手段により、前記ツリー画面上において、操作者による操作により画像オブジェクトがドロップ操作された位置を判断する判断工程と、
前記複合フォーム編集装置の編集手段により、前記判断工程で判断されたドロップ位置に対応して、前記複合フォーム設定データの記述を編集する編集工程とを備え、
前記操作者による操作により、画像オブジェクトが、ページを示す画像オブジェクト上に移動された場合、移動された画像オブジェクトがページであれば、前記編集工程では、移動された画像オブジェクトに対応するページを、移動された先のページの直前に追加するよう、前記フォームデータを編集することを特徴とする複合フォーム編集方法。
【請求項９】
印字データに重畳され、複数の部品フォームから構成されるフォームデータを編集する複合フォーム編集装置における複合フォーム編集方法であって、
前記複合フォーム編集装置の格納手段により、前記フォームデータを構成するページと当該ページを構成する部品フォームとを含むオブジェクト及びそれらの従属関係を記述した複合フォーム設定データを格納する格納工程と、
前記複合フォーム編集装置の表示手段により、前記複合フォーム設定データに従い、オブジェクト及びそれらの従属関係を、オブジェクトに対応する画像オブジェクト間を結ぶツリー画面として表示部に表示する表示工程と、
前記複合フォーム編集装置の判断手段により、前記ツリー画面上において、操作者による操作により画像オブジェクトがドロップ操作された位置を判断する判断工程と、
前記複合フォーム編集装置の編集手段により、前記判断工程で判断されたドロップ位置に対応して、前記複合フォーム設定データの記述を編集する編集工程とを備え、
前記フォームデータには更に、２ページのオブジェクトを含む両面が含まれ、前記操作者による操作により画像オブジェクトが、ページを示す画像オブジェクト上に移動された場合、移動された画像オブジェクトがページであり、かつ移動の操作と共に所定の操作が行われていれば、前記編集工程では、移動された画像オブジェクトに対応するページと、移動された先のページとを含む両面オブジェクトを生成するよう、前記フォームデータを編集することを特徴とする複合フォーム編集方法。
【請求項１０】
印字データに重畳され、複数の部品フォームから構成されるフォームデータを編集する複合フォーム編集装置における複合フォーム編集方法であって、
前記複合フォーム編集装置の格納手段により、前記フォームデータを構成するページと当該ページを構成する部品フォームとを含むオブジェクト及びそれらの従属関係を記述した複合フォーム設定データを格納する格納工程と、
前記複合フォーム編集装置の表示手段により、前前記複合フォーム設定データに従い、オブジェクト及びそれらの従属関係を、オブジェクトに対応する画像オブジェクト間を結ぶツリー画面として表示部に表示する表示工程と、
前記複合フォーム編集装置の判断手段により、前記ツリー画面上において、操作者による操作により画像オブジェクトがドロップ操作された位置を判断する判断工程と、
前記複合フォーム編集装置の編集手段により、前記判断工程で判断されたドロップ位置に対応して、前記複合フォーム設定データの記述を編集する編集工程とを備え、
前記操作者による操作により、画像オブジェクトが、画像オブジェクト上以外の位置に移動された場合、移動された画像オブジェクトが部品フォームであれば、前記編集工程では、フォームデータの末尾に新たなページを挿入し、該ページに含まれる部品フォームとして、前記移動された画像オブジェクトに対応する部品フォームを挿入するよう、前記フォームデータを編集することを特徴とする複合フォーム編集方法。
【請求項１１】
印字データに重畳され、複数の部品フォームから構成されるフォームデータを編集する複合フォーム編集装置における複合フォーム編集方法であって、
前記複合フォーム編集装置の格納手段により、前記フォームデータを構成するページと当該ページを構成する部品フォームとを含むオブジェクト及びそれらの従属関係を記述した複合フォーム設定データを格納する格納工程と、
前記複合フォーム編集装置の表示手段により、前記複合フォーム設定データに従い、オブジェクト及びそれらの従属関係を、オブジェクトに対応する画像オブジェクト間を結ぶツリー画面として表示部に表示する表示工程と、
前記複合フォーム編集装置の判断手段により、前記ツリー画面上において、操作者による操作により画像オブジェクトがドロップ操作された位置を判断する判断工程と、
前記複合フォーム編集装置の編集手段により、前記判断工程で判断されたドロップ位置に対応して、前記複合フォーム設定データの記述を編集する編集工程とを備え、
前記操作者による操作により、画像オブジェクトが、画像オブジェクト上以外の位置に移動された場合、移動された画像オブジェクトがページであれば、前記編集工程では、前記移動された画像オブジェクトに対応するページを、それに含まれる部品フォームも含めて、フォームデータの末尾に追加するよう、前記フォームデータを編集することを特徴とする複合フォーム編集方法。
【請求項１２】
前記操作者による操作により、画像オブジェクトが、部品フォームを示す画像オブジェクト上に移動された場合、移動された画像オブジェクトが部品フォームであれば、前記編集工程では、移動された画像オブジェクトに対応する部品フォームを、移動された先の部品フォームの直前に追加するよう、前記フォームデータを編集することを特徴とする請求項７乃至１１のいずれかに記載の複合フォーム編集方法。
【請求項１３】
印字データに重畳され、複数の部品フォームから構成されるフォームデータを編集する複合フォーム編集装置においてＣＰＵにより実行されるフォーム作成プログラムを格納した記憶媒体であって、
前記複合フォーム編集装置を、
前記フォームデータを構成するページと当該ページを構成する部品フォームとを含むオブジェクト及びそれらの従属関係を記述した複合フォーム設定データを前記複合フォーム編集装置の格納手段に格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段で判断されたドロップ位置に対応して、前記複合フォーム設定データの記述を編集する編集手段と
前記判断手段で判断されたドロップ位置に対応して、前記複合フォーム設定データの記述を編集する編集手段として機能させ、
前記操作者による操作は、前記画像オブジェクトを移動あるいは複写する操作を含み、
前記編集手段は、操作された画像オブジェクトに対応するオブジェクトの記述を、画像オブジェクトの操作に対応して、前記格納手段に格納された複合フォーム設定データにおいて移動あるいは複写し、
前記複合フォーム設定データは、前記フォームデータを構成する各ページ毎に当該ページを構成する部品フォームの名称が記述され、かつ、各ページ毎に両面印刷であるかを示すページ種別が記述されていることを特徴とする前記フォーム作成プログラムが格納された記憶媒体。
【請求項１４】
印字データに重畳され、複数の部品フォームから構成されるフォームデータを編集する複合フォーム編集装置においてＣＰＵにより実行されるフォーム作成プログラムを格納した記憶媒体であって、
前記複合フォーム編集装置を、
前記フォームデータを構成するページと当該ページを構成する部品フォームとを含むオブジェクト及びそれらの従属関係を記述した複合フォーム設定データを前記複合フォーム編集装置の格納手段に格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段で判断されたドロップ位置に対応して、前記複合フォーム設定データの記述を編集する編集手段と
前記判断手段で判断されたドロップ位置に対応して、前記複合フォーム設定データの記述を編集する編集手段として機能させ、
前記操作者による操作により、画像オブジェクトが、ページを示す画像オブジェクト上に移動された場合、移動された画像オブジェクトがページであれば、前記編集手段は、移動された画像オブジェクトに対応するページを、移動された先のページの直前に追加するよう、前記フォームデータを編集することを特徴とする記憶媒体。
【請求項１５】
印字データに重畳され、複数の部品フォームから構成されるフォームデータを編集する複合フォーム編集装置においてＣＰＵにより実行されるフォーム作成プログラムを格納した記憶媒体であって、
前記複合フォーム編集装置を、
前記フォームデータを構成するページと当該ページを構成する部品フォームとを含むオブジェクト及びそれらの従属関係を記述した複合フォーム設定データを前記複合フォーム編集装置の格納手段に格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段で判断されたドロップ位置に対応して、前記複合フォーム設定データの記述を編集する編集手段と
前記判断手段で判断されたドロップ位置に対応して、前記複合フォーム設定データの記述を編集する編集手段として機能させ、
前記フォームデータには更に、２ページのオブジェクトを含む両面が含まれ、前記操作者による操作により画像オブジェクトが、ページを示す画像オブジェクト上に移動された場合、移動された画像オブジェクトがページであり、かつ移動の操作と共に所定の操作が行われていれば、前記編集手段は、移動された画像オブジェクトに対応するページと、移動された先のページとを含む両面オブジェクトを生成するよう、前記フォームデータを編集することを特徴とする記憶媒体。
【請求項１６】
印字データに重畳され、複数の部品フォームから構成されるフォームデータを編集する複合フォーム編集装置においてＣＰＵにより実行されるフォーム作成プログラムを格納した記憶媒体であって、
前記複合フォーム編集装置を、
前記フォームデータを構成するページと当該ページを構成する部品フォームとを含むオブジェクト及びそれらの従属関係を記述した複合フォーム設定データを前記複合フォーム編集装置の格納手段に格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段で判断されたドロップ位置に対応して、前記複合フォーム設定データの記述を編集する編集手段と
前記判断手段で判断されたドロップ位置に対応して、前記複合フォーム設定データの記述を編集する編集手段として機能させ、
前記操作者による操作により、画像オブジェクトが、画像オブジェクト上以外の位置に移動された場合、移動された画像オブジェクトが部品フォームであれば、前記編集手段は、フォームデータの末尾に新たなページを挿入し、該ページに含まれる部品フォームとして、前記移動された画像オブジェクトに対応する部品フォームを挿入するよう、前記フォームデータを編集することを特徴とする記憶媒体。
【請求項１７】
印字データに重畳され、複数の部品フォームから構成されるフォームデータを編集する複合フォーム編集装置においてＣＰＵにより実行されるフォーム作成プログラムを格納した記憶媒体であって、
前記複合フォーム編集装置を、
前記フォームデータを構成するページと当該ページを構成する部品フォームとを含むオブジェクト及びそれらの従属関係を記述した複合フォーム設定データを前記複合フォーム編集装置の格納手段に格納する格納手段と、
前記複合フォーム設定データに従い、オブジェクト及びそれらの従属関係を、オブジェクトに対応する画像オブジェクト間を結ぶツリー画面として表示部に表示する表示手段と、
前記ツリー画面上において、操作者による操作により画像オブジェクトがドロップ操作された位置を判断する判断手段と、
前記判断手段で判断されたドロップ位置に対応して、前記複合フォーム設定データの記述を編集する編集手段と
前記判断手段で判断されたドロップ位置に対応して、前記複合フォーム設定データの記述を編集する編集手段として機能させ、
前記操作者による操作により、画像オブジェクトが、画像オブジェクト上以外の位置に移動された場合、移動された画像オブジェクトがページであれば、前記編集手段は、前記移動された画像オブジェクトに対応するページを、それに含まれる部品フォームも含めて、フォームデータの末尾に追加するよう、前記フォームデータを編集することを特徴とする記憶媒体。
【請求項１８】
前記操作者による操作により、画像オブジェクトが、部品フォームを示す画像オブジェクト上に移動された場合、移動された画像オブジェクトが部品フォームであれば、前記編集手段は、移動された画像オブジェクトに対応する部品フォームを、移動された先の部品フォームの直前に追加するよう、前記フォームデータを編集することを特徴とする請求項１３乃至１７のいずれかに記載の記憶媒体。
【発明の詳細な説明】
【０００１】
【発明の属する技術分野】
本発明は、例えば印刷用のフォームデータ等のオブジェクトを、ツリー表示された構造を操作することで編集可能なオブジェクト編集装置及び方法及びコンピュータ読取り可能なプログラムが格納された記憶媒体に関する。
【０００２】
【従来の技術】
従来、帳票等、一定の書式（フォーム）にデータを書き込んで作成される印刷物を作成するために、フォームオーバーレイと手法が用いられている。フォームオーバーレイでは、フォーム部分を表すフォームデータを予め作成し、そのフォームデータの所定箇所に数値や文字列等、固定されていないデータ（以下印字データと呼ぶ）を重ね合わせてそれを印刷あるいは表示する。
【０００３】
このようなフォームオーバーレイを実現するために、コンピュータ上で動作するフォーム作成用のソフトウエアが開発されている。このような従来のソフトウエアでは、フォームデータは通常１ページを単位としてまとめられるのが普通である。これに加えて、複数のページ分のフォームデータを組み合わせて１組のフォームデータを構成する複合フォームと呼ばれる機能を有するものもあった。この複合フォーム機能は、例えば１ページのフォームデータを、複数ページのフォームデータを重ね合わせて構成したり、また、複写伝票や両面印刷のためのフォームのように、複数ページ分のフォームデータを組み合わせて１組のフォームデータを構成する機能を有している。
【０００４】
【発明が解決しようとする課題】
しかしながら、複数ページ分のフォームデータを組み合わせて１組の複合フォームを構成する場合、各ページのフォームデータを作成する必要があるのはもちろん、各ページのフォームデータをどのように組み合わせるのかを指定しなければならない。例えば、単に組み合わせるフォームデータを指定するのにとどまらず、それを例えば両面印刷として組み合わせるのか、それとも重ね合わせて１ページとなる部品フォームとして組み合わせるのかなど、いちいちコマンドやメニュー選択等で指定しなければならなかった。このため、複合フォーム作成の手順が複雑になり、生産性を向上させることが困難であった。
【０００５】
【課題を解決するための手段】
本発明は上記従来例に鑑みてなされたもので、複合フォームの構成をツリー構造により表現して表示し、その表示上で利用者がツリー構造を操作することにより、容易に複合フォームの構成あるいは編集を行うことができるオブジェクト編集装置及び方法を提供することを目的とする。
【０００６】
上記目的を達成するために本発明は次のような構成からなる。すなわち、印字データに重畳され、複数の部品フォームから構成されるフォームデータを編集する複合フォーム編集装置であって、前記フォームデータを構成するページと当該ページを構成する部品フォームとを含むオブジェクト及びそれらの従属関係を記述した複合フォーム設定データを格納する格納手段と、前記複合フォーム設定データに従い、オブジェクト及びそれらの従属関係を、オブジェクトに対応する画像オブジェクト間を結ぶツリー画面として表示部に表示する表示手段と、前記ツリー画面上において、操作者による操作により画像オブジェクトがドロップ操作された位置を判断する判断手段と、前記判断手段により判断されたドロップ位置に対応して、前記複合フォーム設定データの記述を編集する編集手段とを備え、前記操作者による操作は、前記画像オブジェクトを移動あるいは複写する操作を含み、前記編集手段は、操作された画像オブジェクトに対応するオブジェクトの記述を、画像オブジェクトの操作に対応して、前記格納手段に格納された複合フォーム設定データにおいて移動あるいは複写し、前記複合フォーム設定データは、前記フォームデータを構成する各ページ毎に当該ページを構成する部品フォームの名称が記述され、かつ、各ページ毎に両面印刷であるかを示すページ種別が記述されていることを特徴とする。
【０００７】
あるいは、印字データに重畳され、複数の部品フォームから構成されるフォームデータを編集する複合フォーム編集装置であって、前記フォームデータを構成するページと当該ページを構成する部品フォームとを含むオブジェクト及びそれらの従属関係を記述した複合フォーム設定データを格納する格納手段と、前記複合フォーム設定データに従い、オブジェクト及びそれらの従属関係を、オブジェクトに対応する画像オブジェクト間を結ぶツリー画面として表示部に表示する表示手段と、前記ツリー画面上において、操作者による操作により画像オブジェクトがドロップ操作された位置を判断する判断手段と、前記判断手段により判断されたドロップ位置に対応して、前記複合フォーム設定データの記述を編集する編集手段とを備え、前記操作者による操作により、画像オブジェクトが、ページを示す画像オブジェクト上に移動された場合、移動された画像オブジェクトがページであれば、前記編集手段は、移動された画像オブジェクトに対応するページを、移動された先のページの直前に追加するよう、前記フォームデータを編集することを特徴とする。
【０００８】
あるいは、印字データに重畳され、複数の部品フォームから構成されるフォームデータを編集する複合フォーム編集装置であって、前記フォームデータを構成するページと当該ページを構成する部品フォームとを含むオブジェクト及びそれらの従属関係を記述した複合フォーム設定データを格納する格納手段と、前記複合フォーム設定データに従い、オブジェクト及びそれらの従属関係を、オブジェクトに対応する画像オブジェクト間を結ぶツリー画面として表示部に表示する表示手段と、前記ツリー画面上において、操作者による操作により画像オブジェクトがドロップ操作された位置を判断する判断手段と、前記判断手段により判断されたドロップ位置に対応して、前記複合フォーム設定データの記述を編集する編集手段とを備え、前記フォームデータには更に、２ページのオブジェクトを含む両面が含まれ、前記操作者による操作により画像オブジェクトが、ページを示す画像オブジェクト上に移動された場合、移動された画像オブジェクトがページであり、かつ移動の操作と共に所定の操作が行われていれば、前記編集手段は、移動された画像オブジェクトに対応するページと、移動された先のページとを含む両面オブジェクトを生成するよう、前記フォームデータを編集することを特徴とする。
【０００９】
あるいは、印字データに重畳され、複数の部品フォームから構成されるフォームデータを編集する複合フォーム編集装置であって、前記フォームデータを構成するページと当該ページを構成する部品フォームとを含むオブジェクト及びそれらの従属関係を記述した複合フォーム設定データを格納する格納手段と、前記複合フォーム設定データに従い、オブジェクト及びそれらの従属関係を、オブジェクトに対応する画像オブジェクト間を結ぶツリー画面として表示部に表示する表示手段と、前記ツリー画面上において、操作者による操作により画像オブジェクトがドロップ操作された位置を判断する判断手段と、前記判断手段により判断されたドロップ位置に対応して、前記複合フォーム設定データの記述を編集する編集手段とを備え、前記操作者による操作により、画像オブジェクトが、画像オブジェクト上以外の位置に移動された場合、移動された画像オブジェクトが部品フォームであれば、前記編集手段は、フォームデータの末尾に新たなページを挿入し、該ページに含まれる部品フォームとして、前記移動された画像オブジェクトに対応する部品フォームを挿入するよう、前記フォームデータを編集することを特徴とする。
【００１０】
あるいは、印字データに重畳され、複数の部品フォームから構成されるフォームデータを編集する複合フォーム編集装置であって、前記フォームデータを構成するページと当該ページを構成する部品フォームとを含むオブジェクト及びそれらの従属関係を記述した複合フォーム設定データを格納する格納手段と、前記複合フォーム設定データに従い、オブジェクト及びそれらの従属関係を、オブジェクトに対応する画像オブジェクト間を結ぶツリー画面として表示部に表示する表示手段と、前記ツリー画面上において、操作者による操作により画像オブジェクトがドロップ操作された位置を判断する判断手段と、前記判断手段により判断されたドロップ位置に対応して、前記複合フォーム設定データの記述を編集する編集手段とを備え、前記操作者による操作により、画像オブジェクトが、画像オブジェクト上以外の位置に移動された場合、移動された画像オブジェクトがページであれば、前記編集手段は、前記移動された画像オブジェクトに対応するページを、それに含まれる部品フォームも含めて、フォームデータの末尾に追加するよう、前記フォームデータを編集することを特徴とする。
【００１７】
【発明の実施の形態】
［第１の実施形態］
図１は本実施例におけるフォーム作成機能を有するコンピュータのブロック図である。本フォーム作成機能は、基本入出力（Ｉ／Ｏ）プログラム、オペレーティングシステム（ＯＳ）、およびフォーム作成プログラムをＣＰＵ１０が実行することにより動作する。基本Ｉ／ＯプログラムはＲＯＭ１１に書き込まれており、ＯＳはハードディスク（ＨＤ）１５に書き込まれている。そして本コンピュータの電源が投入されたときに、基本Ｉ／Ｏプログラム中のＩＰＬ（イニシヤルプログラムローディング）機能によりＨＤ１５からＯＳがＲＡＭ１２に読み込まれ、ＯＳの動作が開始される。フォーム作成プログラムの手順については後述する。フォーム作成プログラムおよび関連データはＦＤ１４中に記録されており、その記録されている内容の構成を図１５に示す。
【００１８】
ＦＤ１４に記録されたフォーム作成プログラム及び関連データは、図１６に示すようにＦＤドライブ１３を通じて本コンピュータシステムにロードすることができる。このＦＤ１４をＦＤドライブ１３にセットすると、ＯＳおよび基本Ｉ／Ｏプログラムの制御のもとにフォーム作成プログラムおよび関連データがＦＤ１４から読み出され、ＲＡＭ１２にロードされて動作可能となる。図２は、フォーム作成プログラムがＲＡＭ１２にロードされ実行可能となった状態のメモリマップを示す。
【００１９】
本実施例では、ＦＤ１４からフォーム作成プログラム及び関連データを直接ＲＡＭ１２にロードして実行させる例を示したが、この他にＦＤ１４からフォーム作成プログラム及び関連データをいったんＨＤ１５に格納（インストール）しておき、本フォーム作成プログラムを動作させる段にＨＤ１５からＲＡＭ１２にロードするようにしても良い。また本フォーム作成プログラムを記録する媒体は、ＦＤ以外にＣＤ−ＲＯＭ、ＩＣメモリカードなどであってもよい。さらに本ツリービュー上でのオブジェクト操作方式制御プログラムをＲＯＭ１１に記録しておき、これをメモリマップの一部となすように構成し、直接ＣＰＵ１０で実行することも可能である。
【００２０】
フォーム作成プログラムによって作成されたフォームデータはＨＤ１５に格納され、オーバーレイ印刷を実現する他のアプリケーションプログラムにより、印字データと重ね合わされて、プリンタ１８から出力される。
【００２１】
＜フォームオーバーレイ処理の概要＞
フォーム作成機能の詳細について説明する前に、フォームオーバレイ処理全体についてそのあらましを述べる。図３は、フォーム作成プログラムを含む、オーバーレイ印刷全体についての処理の流れを示している。フォーム作成プログラム（以後フォームエディタと呼ぶこともある）３１１により作成されたフォームあるいは複合フォームは、ＨＤ１５などに用意されたフォームデータ格納部３１２に格納される。各フォーム（複合フォームを含む）は、フォームそのものを表すフォームデータ３１２ａと、フォームと合成される印字データについて、その位置や文字種等を表したフィールド属性データ３１２ｂとを含む。なお、これ以降、複合フォームデータをＦＣＸデータ、複合されておらず、最小の単位となるフォームデータをＦＣＰデータと呼ぶことがある。
【００２２】
これらフォームデータは、所定のランタイムライブラリ３１５によってプリンタ３２が解釈可能な形式のフォームプリントデータ３１６ａに変換されて、ＨＤ１５内に確保されたプリンタデータ格納部３１６に格納される。
【００２３】
一方、フォームオーバーレイ印刷される印字データは、適当な業務ファイル３１３により生成され、テキストデータ格納部３１４に格納される。このデータはオーバーレイされる各フィールドを区分できる形式であればよく、例えばＣＳＶ形式と呼ばれる、一般的に利用されている形式を用いることができる。この印字データも、ランタイムライブラリ３１５によってプリンタ３２が解釈できる形式の印字プリントデータ３１６ｂに変換され、プリントデータ格納部３１６に格納される。
【００２４】
このようにして作成されたフォームプリントデータ及び印字プリントデータは、オペレーティングシステム３１７及びプリンタドライバ３１８によってプリンタ２１に出力され、そこで合成されて印刷される。
【００２５】
図４は、フォームデータ及び印字データそれぞれの例と、プリンタ３２に渡される印刷コマンドのシーケンスの例を示す。図４（ｃ）は、コマンドシーケンスの例である。まず、印刷ジョブを開始するためのコマンド列に続いてフォームデータの登録開始コマンド４１１があり、それに、図４（ａ）に示したようなフォームデータ４１２が続く。この例ではフォームは１ページだが、複合フォームでもよい。その後、フォームデータの登録終了コマンド４１３があり、それからオーバーレイ印刷開始コマンド４１４とオーバーレイ印刷終了コマンド４１７とに挟まれた印字データ４１５，４１６が続く。印字データの例を図４（ｂ）に示す。図４（ｃ）の例では、印字プリントデータは２ページ分あるため、フォームプリントデータも２ページ分の複合フォームである。
【００２６】
このようなコマンドシーケンスがプリンタ３２に送られると、プリンタでは、フォームプリントデータをいったんフォームキャッシュ３２１に格納し、印字データとフォームデータをそれぞれラスタライズしてページバッファ３２３上で合成する。このデータがプリントエンジン３２４から印刷出力されて、目的の印刷物が得られる。
【００２７】
＜フォームエディタの機能＞
以上がフォームオーバーレイ印刷のあらましであるが、ここで図面を参照しながら、本実施形態のフォーム作成プログラム（フォームエディタ）について説明する。
【００２８】
図５は、フォームエディタ起動後、フォームの新規作成を利用者が指定した場合の表示画面の例である。ウインドウ５０１の内部には、その上部にメニュー行が表示され、その下に新規作成するオブジェクトが何であるかを選択するウインドウ５０２が表示される。ここでは、フィールドデータ、フォーム、複合データの３種が選択できる。フィールドデータ欄４０３が選択されると、それ以降は、図３のフィールド属性ファイル３１２ｂを編集する手順に入る。フォーム欄４０４が選択されると、１ページの部品フォームデータを編集する手順に入る。部品フォームデータは、それ単独でも１ページ分のフォームデータとなり得る。図６は、フォーム欄４０４が指定された場合に、部品フォームデータを作成する画面の例の一部を示す。部品フォーム６０１は、そのウインドウの周囲にあるボタンを操作することで編集される。
【００２９】
複合フォーム欄４０５が指定されると、図７に示す複合フォームデータ編集画面に移る。図７では、複合フォーム７０１が作成されつつある様子を示す。複合フォームデータ編集画面では、編集対象となっている複合フォームデータの構造がツリー表示欄７０２に表示される。この画面上では、ポインティングデバイスを用いて、画面上の指定したオブジェクトを移動したり、消去したり、あるいは挿入したり、といった操作を行うことや、キーボードから、オブジェクトの名称を変更するなどといった操作ができる。図５は新規作成の場合を示しているが、すでにある複合フォームあるいはフォームを編集する場合には、その複合フォームデータファイルの名を指定してフォームエディタを呼び出せばよい。それによりフォームデータ格納部３１２から複合フォームデータが読み出され、その構造を反映したツリーが表示される。
【００３０】
図８に、表示されるツリー（ツリービュー）の例を示す。各ツリーのルートは複合フォーム全体を表し、その下ノード８０２は、複合フォームを構成する印刷ページをあらわしている。印刷ページは印刷される１ページを表しており、そのページ自体の構成により幾つか種類がある。例えば、単純に部品フォームを含む印刷ページ８０２ａ，８０２ｂ，８０２ｃは、その下にある部品フォームを上から順番に重ねた複合フォームである。例えば、印刷ページ８０２ａは、部品０１の上に部品０２を重ねて構成される。このほか、その下にある印刷ページが両面印刷されることを示す両面ノード８０２ｃがある。また、図示していないが、指定された枚数だけ繰返して出力されることを示す複写ノードなどもある。両面ページの場合、その下に更に印刷ページがあり、ツリービューの表示で配下に存在するページは、上位のページが表面、下位のページが裏面を意味する。
【００３１】
また、各印刷ページをサブツリーとしてつなぎ合わせているノード８０９は、「−」はそのサブツリーが表示されていることを表し、「＋」がそのサブツリーが表示されていないことを表す。なお、以下ではオブジェクトを示すノードをアイテムと呼ぶこともある。また、各ノードはアイコンと呼ばれる画像オブジェクトとして表示され、アイコンを結ぶ線はその線の右側のノードが左側のノードに従属していることを表している。
【００３２】
印刷は印刷ページ単位で行われ、各印刷ページとも最低１つの部品フォームから構成されている。部品フォームが複数個存在する印刷ページの場合には、それぞれの部品フォームを重ねあわせたものが１ページとして印刷される。ツリービューでページ配下にある部品フォームの順序は、部品フォームを重ねた場合の重ねの順序をあらわし、ツリービューの表示で最上にあるものから順番に重ねられる。すなわちページを表示した場合には、ツリービューの最下にある部品フォームが最上になる。
【００３３】
図１０（ａ）は、複合フォームを表す複合フォームデータファイルの一例の構造を表す。図１０では、複合フォームデータ「Ｔｅｓｔ．ｆｃｘ」は、「ｃ：￥Ｐｒｏｇｒａｍ  Ｆｉｌｅｓ￥Ｆｃｐｒｏ￥ＦＯＲＭＷＯＲＫ」なるディレクトリに保存されている。その内容は、ページ数フィールド１０１が３であり、全部で３印刷ページを含むことが示される。ページ名１０２は、定義された印刷ページの名称であり「Ｎｅｎｋｉｎ０１」である。繰返し回数は、そのページを繰り返す回数を表す。ページ種別フィールド１０４は標準ページとなっており、両面や複写などではない、通常のページであることを示している。ファイル名フィールドはフルパスで表示されており、その最後にファイル名「Ｎｅｎｋｉｎ０１．ｆｃｐ」が書き込まれている。すなわち、この印刷ページは、部品フォームとして「Ｎｅｎｋｉｎ０１．ｆｃｐ」だけを含むことがわかる。
【００３４】
次の印刷ページＮｅｎｋｉｎ０２は、３つの部品フォーム「Ｎｅｎｋｉｎ０２．ｆｃｐ」「Ｎｅｎｋｉｎ０３．ｆｃｐ」「Ｎｅｎｋｉｎ０４．ｆｃｐ」を含む。
【００３５】
図１０（ａ）の複合フォームデータをツリーで表現した図が図１０（ｂ）である。ツリービューは、複合フォームデータの内容を正確に表現しており、その構造を直感的に理解しやすい形式で表現している。
【００３６】
＜ツリー編集による複合フォームの編集＞
ツリービューは複合フォームデータに正確に対応しているため、ツリービューから複合フォームデータを再構成することもできる。本発明に係るフォームエディタでは、このツリーをツリービュー上で編集し、それを複合フォームデータに反映する機能を有している。
【００３７】
まずツリービューにおける基本的な操作を説明する。基本的な操作には、「選択」「ドラッグ」「ドロップ」の３種が含まれる。これらの操作は、グラフィカルインターフェースを備えたオペレーティングシステムであればたいていサポートされているもので、ごく普通に利用される。「選択」は、ツリービューに表示されたノードとして表示されたアイコンを、キーボードやポインティングデバイス等で指定し、選択の指示をすることで選択が行われる。これにより、この後のドラッグ操作は選択されたアイコンを対象にして行われる。「ドラッグ」は、選択したアイコンを所望の位置に移動させる操作である。また、ドロップは、ドラッグしたアイコンを所望の位置で解放する操作であり、アイコンそのものは、ドラッグ及びドロップ操作によって所望の位置に移動される。
【００３８】
またそれと同時に、それらの操作が行われたアプリケーションは、どのアイテムがどこに移動されたかという情報を得ることができる。例えばフォームエディタも、上述した操作の結果を表す情報を獲得できる。
【００３９】
（部品フォームのページへの追加）
図９は、ツリービュー上での複合フォームデータの編集手順を示すフローチャートの一部である。図９では、図８のツリービューに新規のページまたはページに新規の部品フォームを追加する手順が示されている。編集の対象となる複合フォームは、ツリービュー領域７０２（図７）内に表示されたツリーである。
【００４０】
編集を行う利用者は、部品フォームとして登録したいファイルを指定し、ツリービュー上の任意の位置（ただし図７のツリー領域７０２の範囲内）にドロップする（ステップＳ９０１）。指定するファイルは、例えばマイクロソフト社のウインドウズ環境であれば、アイコン表示されたファイルから選択できる。フォームエディタとしての処理はステップＳ９０２から開始される。
【００４１】
まず、ドロップしたアイコンに対応するファイルの属性を判断する（ステップＳ９０２）。もし、部品フォームになり得ないファイルの場合には、ツリービューの表示は変化せずに処理を終了する。この場合には複合フォームデータも操作されない。部品フォームになり得るデータファイルのアイコンであれば、アイコンをドロップした位置を判断する（ステップＳ９０３）。もし、アイコンをツリービューの余白部分にドロップした場合には、新規のページを示すアイコンを作成する（ステップＳ９０４）。またそのページには、ドロップしたファイル名より名称が自動的に与えられる（ステップＳ９０５）。名称としては、ドロップされたファイル名から拡張子を取り除いた名前になる。この時に既存のページ名をすべて検索して、新規のページ名が既存のページ名と同じページ名にならないようにする。ページ名は、任意のページ名に変更は可能ではあるが、この時も登録されているページ名をすべて検索して、すでに存在しているページ名への変更はできないようにする。
【００４２】
また、ドロップしたフォームデータのアイコンは、ページを構成する部品フォームを示すアイコンとして、新規に作成されたページを示すアイコンの配下に作成される（ステップＳ９０６）。部品フォーム名は、ドロップしたファイル名がそのまま使用される。また、ツリーの編集が終えたなら、編集されたツリーに対応するように、複合フォームデータの内容も更新する。ステップＳ９０４，９０５を通る場合であれば、複合フォームの最後に、ページ名（部品フォーム名と同じ）、繰返し種別、ページ種別（標準）、ファイル名（部品フォームのファイル名をフルパスで表現）の各フィールドを付加する。
【００４３】
もし、余白にドロップされなければ、ファイルをツリービューのページを示すアイコン上にドロップしたか判定し（ステップＳ９０７）、そうであれば、ドロップしたページの下に、そのページを構成する部品フォームを示すアイコンとして追加され、ツリーが作成され（ステップＳ９０６）、ツリービューの最下に表示される。この場合には、ステップＳ９０６では、複合フォームデータのうち、部品ファイルアイコンがドロップされたページのファイル名フィールドの最後に、ドロップされたアイコンに対応する部品フォームを追加する。
【００４４】
もし、ファイルをツリービューの部品フォームを示すアイコン上にドロップした場合には、その部品フォームを示すアイコンが属しているページを示すアイコンの配下に部品フォームを示すアイコンとして登録される（ステップＳ９０６）。この時にツリービューでは、ドロップした位置にある部品フォームを示すアイコンの直前にドロップされたアイコンが表示される。この場合には、ステップＳ９０６で、複合データファイルは次のように操作される。すなわち、ドロップした位置の部品フォームが属するページにおいて、その部品フォームファイルの直後に、ドロップされたアイコンに相当する部品フォーム名を挿入する。
【００４５】
もし、同一名の部品フォームが存在しているページにファイルをドラッグした場合には、警告メッセージが表示され部品フォームの追加は行われない。
【００４６】
このように編集を行わせることにより、新規ページをツリービューに登録する際に、部品フォームとして利用したいファイルをツリービューの余白部にドラッグするだけで、新規ページおよびその部品フォームがツリービューに登録される。これにより、部品フォームを含むページを予め作成しておく手間を省くことが可能になる。
【００４７】
（アイテムの移動）
図１１は図８のツリービューに表示されている、部品フォームやページなどのアイテムの移動操作の手順である。
【００４８】
利用者はツリービューより所望のアイテムを示すアイコンを選択してドラッグし、ツリービュー上の任意の位置にドロップする（ステップｓ９）。まず、ドロップした位置を判断する（ステップｓ１０）。もし、ドロップした位置がページを示すアイコンの場合にはページの操作に関する処理を行い（ステップｓ１１）、ドロップした位置が部品フォームを示すアイコンの場合には部品フォームの操作に関する処理を行い（ステップｓ１２）、ドロップした位置がツリービューの余白部分の場合にはページの追加処理を行う（ステップｓ１３）。これらの処理の詳細については後述する。これらの作業が終えたならそれが正常に終了したかを判断し（ステップｓ１４）、正常終了した場合には、選択したアイコンが何かを判断する（ステップｓ１５）。
【００４９】
もし、選択されてドラッグ＆ドロップされたアイテムが部品フォームの場合には、その部品フォームをツリービューの元の位置から削除する。またそれとともに、複合フォームデータファイル（ＦＣＸファイル）において、削除される部品フォームのファイル名をそれが属するページから削除する（ステップｓ１６）。
【００５０】
もし選択されたアイコンがページを示すアイコンであった場合には、そのアイコンとそのページを構成する部品フォームを示すアイコンをすべてツリービューの元の位置から削除する。またそれとともに、複合フォームデータファイル（ＦＣＸファイル）において、削除されるページ及びそれに含まれる部品フォームのファイル名をファイルから削除する（ステップｓ１７）。
【００５１】
（ページの操作）
図１２は、図１１のステップｓ１１におけるページの操作に関する手順である。ページの操作に関する処理では、まず、ドロップしたアイコン、すなわち選択されているアイコンの属性を判断する（ステップｓ１８）。もし、部品フォームを示すアイコンの場合には、他のページからドラッグしてきたものか、すなわち他ページから移動される部品フォームであるか判断する（ステップｓ１９）。もし、他のページからドラッグしてきたアイコンの場合には、ドロップした位置のページが管理する部品フォーム数を調査し（ステップｓ２０）、追加可能か判断する（ステップｓ２１）。
【００５２】
もし、部品フォームが追加可能な場合には、その上に部品フォームがドロップされたところのページを示すアイコンの配下で、既存の部品フォームを示すアイコンの最下に部品フォームを示すアイコンとして登録され（ステップｓ２２）、操作は正常終了する。それとともにステップｓ２２においては、操作対象の複合フォームデータファイル（ＦＣＸファイル）に含まれる、部品フォームが登録されたページアイコンに対応するページに、選択されドラッグされた部品フォームアイコンに対応するファイル名を追加する。すなわち、この場合には、ドラッグ元のページからドラッグ先のページへと、選択した部品フォームがコピーされる。ただし、ステップｓ１６においてコピー元の部品フォームは削除され、最終的には移動操作となる。移動された部品フォームは、ページの最も下に付加され、画像としては最も上に重ね合わされる。
【００５３】
もし、部品フォームを追加できない場合には、エラーメッセージを表示し（ステップｓ３５）、操作は異常終了する。
【００５４】
また、同一ページ内の部品フォームからドラッグしてきた場合には、ドラッグされた部品フォームアイコンはそのページを示すアイコンの配下で既存の部品フォームを示すアイコンの最下に部品フォームを示すアイコンとして登録され（ステップｓ２２）、操作は正常終了する。また同時に、操作対象の複合フォームデータファイル（ＦＣＸファイル）に含まれる、部品フォームが登録されたページアイコンに対応するページに、選択されドラッグされた部品フォームアイコンに対応するファイル名を追加する。すなわち、この場合には、選択された部品フォームファイルは、それが属するページ内における最も下にコピーされる。ただし、ステップｓ１６においてコピー元の部品フォームは削除され、最終的には移動操作となる。移動された部品フォームは、ページの最も下に付加され、画像としては最も上に重ね合わされる。
【００５５】
また、ドロップしたアイコンの属性がページを示すアイコンであるステップｓ１８で判定された場合には、特定のキー例えばＩＢＭ社製のＡＴ型互換コンピュータの「Ａｌｔ」キーが押下されているか判断する（ステップｓ２３）。もし、Ａｌｔキーが押下されていない場合には、ドロップした位置に選択されたページを示すアイコンが新たに作成され（ステップｓ２４）、ドロップした位置にあったページを示すアイコン以下はツリービューの下方に作成されたアイコン分だけ移動され（ステップｓ２５）、操作は正常終了する。また、ステップｓ２６では、操作対象のＦＣＸファイルにおいて、選択されたページアイコンに相当する記述を、ドロップしたページアイコンに対応するページ記述の直前に追加する。
【００５６】
例えば、図１０（ｂ）において、ページアイコン「Ｎｅｎｋｉｎ０１」が選択され、ドラッグされてページアイコン「Ｎｅｎｋｉｎ０３」上でドロップされたとする。この場合には、ページアイコン「Ｎｅｎｋｉｎ０２」とページアイコン「Ｎｅｎｋｉｎ０３」との間に、ページアイコン「Ｎｅｎｋｉｎ０１」が、それを構成する部品フォームも含めてコピーされる。この操作は、ステップｓ２６においてＦＣＸファイルに反映される。すなわち、図１０（ａ）におけるページ記述「Ｎｅｎｋｉｎ０１」（符号１０２〜１０５）は、ページ記述「Ｎｅｎｋｉｎ０２」（符号１０６）とページ記述「Ｎｅｎｋｉｎ０３」（符号１０７）との間に移動される。ただし、選択された元のページアイコン及び対応するページ記述はステップｓ１７で削除されるため、最終的には移動操作となる。
【００５７】
もし、ステップｓ２３でドラッグ中にＡｌｔキーが押下されていると判定された場合には、ページを示すアイコンの上位の階層に「両面」をあらわすアイコンを作成し（ステップｓ２７）、その配下に、選択されたページを示すアイコンが表面（ステップｓ２８）となり、選択されたページの移動先のページを示すアイコンが裏面として作成され（ステップｓ２９）、操作は正常終了する。すなわち、図８のアイコン８０２ｃのような両面を示すアイコンが作成される。ステップｓ３０では、この両面フォームの作成に対応するＦＣＸファイルの操作を行う。すなわち、選択されたページアイコンに対応するページ記述を、それドロップしたページアイコンの直前に追加する。また、追加されたアイコンに対応するページ記述の「ページ種別」欄を例えば「両面」を表すコードとし、ドロップ先のページアイコンに対応するページ記述のページ種別欄を「裏面」を表すコードとする。
【００５８】
以上のようにして、ツリービュー上で所望のアイコンを選択し、それをドラッグ及びドロップ操作等により所望の位置に移動することで、選択されたアイテムの種類に応じて複合フォームデータファイルを編集することができる。
【００５９】
（部品フォームの操作）
図１３は、図１１のステップｓ１２における部品フォームの操作に関する手順である。部品フォームの操作に関する処理では、まず、ドロップしたアイコン、すなわち選択されているアイコンの属性を判断する（ステップｓ３２）。選択されたアイコンが部品フォームを示すアイコン以外の場合には、エラーメッセージ等を表示し（ステップｓ３９）、異常終了する。部品フォームを示すアイコンの場合には、他ページからドラッグされたアイコンかどうか判断する（ステップｓ３３）。すなわち、選択された部品フォームと、その移動先の部品フォームとが異なるページに属するか判断する。
【００６０】
もし、他ページからドラッグされたアイコンの場合には、ドロップした位置にある部品フォームを管理するページに部品フォームを追加可能か調査し（ステップｓ３４）、判断する（ステップｓ３５）。もし、部品フォームを追加できない場合には、エラーメッセージ等を表示して（ステップｓ３９）、操作は異常終了する。
【００６１】
部品フォームを追加できる場合および同一ページ内での部品フォームの移動操作の場合には、ドロップした位置に部品フォームを示すアイコンを作成し（ｓ３３）、ドロップした位置に存在するアイコン以降をツリービューの下方に移動し（ステップｓ３７）、操作は正常終了する。最後に、ステップｓ３８において、編集対象のＦＣＸファイルにおいて、選択されたアイコンに対応する部品フォームファイル名を、その移動先に相当するページに追加する。すなわち、ステップｓ３７で下方に移動されたアイコンに対応する部品フォームファイルの欄の直前に、選択された部品フォームファイル名を挿入する。
【００６２】
以上の手順により、部品フォームアイコン上に他の部品フォームアイコンを移動することで、移動されたアイコンに対応する部品フォームをページ中に挿入できる。
【００６３】
（ページの追加操作）
図１４は、ページの追加処理に関する手順である。ページの追加処理では、まず、ドロップしたアイコン、すなわち選択されたアイコンの属性を判断する（ステップｓ４０）。ページを示すアイコンおよび部品フォームを示すアイコン以外の場合は、エラーメッセージ等を表示して（ｓ４６）、操作は異常終了する。
【００６４】
もし、部品フォームを示すアイコンをドロップしたと判断された場合には、新規のページを示すアイコンを新たに作成する（ステップｓ４１）。それと同時に、その配下にドロップした部品フォームを示すアイコンを作成する（ステップｓ４２）。この時、新規に作成したページ名は、ドロップしたアイコン名より自動的に決定される。次に、同一名称のページ名がすでに存在しているか判断し（ステップｓ４３）、もし存在同一名称のページ名が存在している場合には自動的にページ名を変更し（ステップｓ４４）、操作は正常終了する。最後に、編集対象のＦＣＸファイルにおいて、ステップｓ４２あるいはステップｓ４４で決定した名称のページ記述を末尾に追加し、そのページに属する部品フォームファイルとして、選択された部品フォームアイコンに対応する部品フォームファイル名を書き込む（ステップｓ４５）。
【００６５】
一方、ページを示すアイコンをツリービューの余白部分にドロップした場合、すなわち選択されたアイコンがページアイコンであり、それが余白部分に移動された場合には、ページが管理する部品フォームを含め、複合フォームに含まれるページの末尾に、ドロップしたアイコンから、ページを示すアイコンおよび部品フォームを示すアイコンを作成する（ステップｓ４７）。さらに、編集対象のＦＣＸファイルの末尾に、選択されたページの記述を複写する。
【００６６】
以上の手順により、ツリービューの余白部分にページのアイコンを移動することで、選択されたページを複合フォーム内で移動することができる。また、ツリービューの余白部分に部品フォームのアイコンを移動することで、選択された部品フォームを含むページを新たに作成することができる。
【００６７】
以上説明したように、本実施例のフォームエディタによれば、他のアプリケーションなどで表示されたページや部品フォーム等のアイテムを示すアイコンのうちから、所望のアイコンをドラッグアンドドロップ操作等によって選択及び移動することにより、複合フォームデータを編集することができる。例えば、部品フォームになり得るファイルをツリービューの余白部分に移動すれば、その部品フォームを含む新たなページが複合フォーム内に作成される。また、ページアイコンの上に移動すれば、そのページに選択された部品フォームを追加する。
【００６８】
また、本実施例のフォームエディタによれば、フォームエディタのツリービューにより表示されたページや部品フォーム等のアイテムを示すアイコンのうちから、所望のアイコンをドラッグアンドドロップ操作等によって選択及び移動することにより、複合フォームデータを編集することができる。例えば、アイテムの移動先がツリービューのページアイコンであり、選択されたアイテムが部品フォームであれば、選択された部品フォームを移動先のページに移動する。また、選択されたアイテムがページであれば、そのページを複合フォームの先頭に追加する。またその際、Ａｌｔキー等の特定のキーが押されていれば、選択されたページを表、移動先のページを裏面とする両面ページを複合フォームに追加する。
【００６９】
また、アイテムの移動先がツリービューの部品フォームであり、選択されたアイテムも部品フォームであれば、選択された部品フォームを移動先の部品フォームの直前に移動する。
【００７０】
また、アイテムの移動先がツリービューの余白部分である場合、選択されたアイテムが部品フォームであればその部品フォームを含む新たなページを複合フォームの末尾に追加し、また、選択されたアイテムがページであれば、そのページを複合フォームの末尾に移動する。
【００７１】
また、ツリー上でアイコンを選択した状態でそのアイコンを消去する操作を行うことで、複合フォームデータファイルから、消去されたアイコンに対応するページや部品フォームを削除するといった編集操作を行うこともできる。
【００７２】
［第２の実施の形態］
第２の実施例の流れ図を図１７に示す、図１は、第１実施例の図１１に代えて実行される手順である。第１の実施形態との相違点は、選択した部品フォームを示すアイコンを移動してドロップした際に特定のキー、例えばコントロールキー（Ｃｔｒｌキー）が押下されていたかを、選択されたアイテムを削除する前に判断する点にある。コントロールキーが押されていなければ、第１の実施形態と同様の手順が実行されるが、押されていたなら、最初に選択されたアイテムの削除をスキップする。すなわち、最初に選択されたアイテムは移動されるのではなく、コピーされることになる。
【００７３】
これにより、ページを構成している部品フォームを他のページの部品フォームとしてコピーすることが可能になり、編集作業の柔軟性が一層向上する。
【００７４】
【発明の効果】
以上説明したように本発明によれば、複合フォームを階層構造になっているツリービューで表示し、その表示上で複合フォームを構成するページと当該ページを構成する部品フォームとを含むオブジェクトを表すアイコンなどの画像オブジェクトを選択して移動する操作を行うことにより、複合フォームデータファイルを編集することができる。その編集操作においては、ページ位置を変更することが可能となる。また、画像オブジェクトを移動した位置により、新たにページを追加することが可能となる。また、ツリービューの編集によって両面ページを作成することも簡単にできる。
【図面の簡単な説明】
【図１】本発明の一実施例である印刷方式が適用される情報処理システムのハードウェアの構成を示すブロック図である。
【図２】本発明の一実施例である印刷方式のプログラムが動作する時のメモリマップの図である。
【図３】フォームオーバレイ処理の概要を示す図である。
【図４】フォームデータ及び印字データの例と、オーバーレイ印刷時の命令シーケンスを示す図である。
【図５】フォームエディタの起動画面の例を示す図である。
【図６】部品フォームの編集画面の一例を示す図である。
【図７】複合フォームの編集画面の一例を示す図である。
【図８】複合フォーム編集字に表示されるツリービュー構成の詳細の一例を示す図である。
【図９】複合フォーム編集処理手順（１）を示すフローチャートである。
【図１０】複合フォームデータの一例のツリー表示及びその内容を示す図である。
【図１１】複合フォーム編集処理手順（２）を示すフローチャートである。
【図１２】複合フォーム編集処理手順（３）を示すフローチャートである。
【図１３】複合フォーム編集処理手順（４）を示すフローチャートである。
【図１４】複合フォーム編集処理手順（５）を示すフローチャートである。
【図１５】フォームエディタのプログラム等が記録されている媒体の構成図である。
【図１６】図１５の媒体からコンピュータやシステムにプログラムやデータが供給されることを示す図である。
【図１７】第２実施形態における複合フォーム編集処理手順を示すフローチャートである。
【符号の説明】
３１１  フォームエディタ
３１２  フォームデータ格納部
３１６  プリントデータ格納部
【図１】
0003754838.tif 000002
【図２】
0003754838.tif 000003
【図３】
0003754838.tif 000004
【図４】
0003754838.tif 000005
【図５】
0003754838.tif 000006
【図６】
0003754838.tif 000007
【図７】
0003754838.tif 000008
【図８】
0003754838.tif 000009
【図９】
0003754838.tif 000010
【図１０】
0003754838.tif 000011
【図１１】
0003754838.tif 000012
【図１２】
0003754838.tif 000013
【図１３】
0003754838.tif 000014
【図１４】
0003754838.tif 000015
【図１５】
0003754838.tif 000016
【図１６】
0003754838.tif 000017
【図１７】
0003754838.tif 000018